(57)【要約】【課題】設備機器の運転時間の集計及び時間外運転時間の検算にかかる手間と時間を軽減することができる施設管理装置及び施設管理方法を提供する。【解決手段】施設管理装置１は、設備機器２ａ〜２ｃのコアタイムを示す運転スケジュールを記憶する運転スケジュール記憶部１２と、設備機器２ａ〜２ｃから、設備機器２ａ〜２ｃの運転状態の変化を示す運転データを取得する運転データ取得部１３と、発停履歴を記憶する履歴記憶部１４と、発停履歴を用いて、所定期間ごとの設備機器２ａ〜２ｃの運転時間を集計する運転時間集計部１５と、運転時間集計部１５で集計した運転時間のうち、運転スケジュールが示すコアタイム外の運転時間を集計する時間外運転時間集計部１６とを有している。【選択図】図１
2016058048.tif 000002
【特許請求の範囲】
【請求項１】
施設に設置された設備機器を管理する施設管理装置において、
前記設備機器の運転予定時刻を示す運転スケジュールを記憶する運転スケジュール記憶部と、
前記設備機器から、該設備機器の運転状態の変化を示す運転データを取得する運転データ取得部と、
前記運転データと、該運転データを取得した時刻との履歴を記憶する履歴記憶部と、
前記履歴を用いて、所定期間ごとの前記設備機器の運転時間を集計する運転時間集計部と、
前記運転時間集計部で集計した運転時間のうち、前記運転スケジュールが示す運転予定時刻外の運転時間を集計する時間外運転時間集計部と、
を具備することを特徴とする施設管理装置。
【請求項２】
前記履歴と、前記運転時間集計部で集計した運転時間と、前記時間外運転時間集計部で集計した運転予定時刻外の運転時間とを表示する表示部を具備することを特徴とする請求項１記載の施設管理装置。
【請求項３】
前記表示部は、前記履歴と、前記運転時間集計部で集計した運転時間と、前記時間外運転時間集計部で集計した運転予定時刻外の運転時間とを、操作入力部に入力された検索条件に応じて表示することを特徴とする請求項２記載の施設管理装置。
【請求項４】
前記表示部は、前記運転時間集計部で集計した運転時間と、前記時間外運転時間集計部で集計した運転予定時刻外の運転時間とを日報形式で表示することを特徴とする請求項２又は請求項３記載の施設管理装置。
【請求項５】
前記運転データ取得部は、前記設備機器が運転を開始するために該設備機器に入力された信号種別を示す前記運転データを取得し、
前記運転時間集計部及び前記時間外運転時間集計部は、前記信号種別ごとに運転時間を集計する
ことを特徴とする請求項１から請求項４のうちのいずれか１項記載の施設管理装置。
【請求項６】
施設に設置された設備機器を管理する施設管理方法において、
運転スケジュール記憶部が、前記設備機器の運転予定時刻を示す運転スケジュールを記憶するステップと、
運転データ取得部が、前記設備機器から、該設備機器の運転状態の変化を示す運転データを取得するステップと、
履歴記憶部が、前記運転データと、該運転データを取得した時刻との履歴を記憶するステップと、
運転時間集計部が、前記履歴を用いて、所定期間ごとの前記設備機器の運転時間を集計するステップと、
時間外運転時間集計部が、前記運転時間集計部で集計した運転時間のうち、前記運転スケジュールが示す運転予定時刻外の運転時間を集計するステップと、
を具備することを特徴とする施設管理方法。
【発明の詳細な説明】
【技術分野】
【０００１】
本発明は、施設に設置された設備機器を管理する施設管理装置及び施設管理方法に関するものである。
【背景技術】
【０００２】
従来、オフィスビル、商業ビル、ホテル及び病院などの施設に設置された設備機器を監視又は管理する施設管理装置が用いられている（例えば、特許文献１及び特許文献２参照）。
【０００３】
特許文献１の施設管理装置は、設備機器の運転台数のデータと、運転台数のデータを集計した時刻のデータとに基いて、運転台数の時刻変化を表すトレンドグラフを表示するものである。これにより、設備機器の運転状態の確認を容易にしている。
【０００４】
特許文献２の施設管理装置は、各設備機器の運転・環境情報に関する履歴データを記憶するとともに、履歴データ内のパラメータに対して所定閾値ごとに区別するための色を設定し、設定された色を用いて履歴一覧表を表示するものである。これにより、設備機器の運転・環境状況に関するデータを有効に活用させ、全体の俯瞰的な分析・解析を容易にしている。
【先行技術文献】
【特許文献】
【０００５】
【特許文献１】特開２００８−２５７６３３号公報
【特許文献２】特開２０１３−５０７８８号公報
【発明の概要】
【発明が解決しようとする課題】
【０００６】
設備機器の運転時間に応じた課金を行う場合、予め定められた運転スケジュールが示す設備機器の運転予定時刻（以下「コアタイム」という）外の運転時間（以下「時間外運転時間」という）を示す情報が用いられる。従来の施設管理装置は、製品異常などにより時間外運転時間の値が異常値になることがあった。これにより、過剰請求や過少請求が生じて、課金業務に支障が出る課題があった。
【０００７】
一方、従来の施設管理装置には、設備機器の運転状態が変化した時刻を記憶しておき、この時刻をいわゆる「バーチャルプリンタ」に表示する機能を有するものもある。表示された運転状態の変化時刻を基に、オペレータが手動で運転時間を集計し、時間外運転時間の検算を行う運用がなされている。検算により課金業務への支障は防ぐことができるものの、運転時間の集計を手動で行うため、手間と時間がかかる課題があった。
【０００８】
本発明は、上記のような課題を解決するためになされたものであり、設備機器の運転時間の集計及び時間外運転時間の検算にかかる手間と時間を軽減することができる施設管理装置及び施設管理方法を提供することを目的とする。
【課題を解決するための手段】
【０００９】
本発明の施設管理装置は、施設に設置された設備機器を管理する施設管理装置において、設備機器の運転予定時刻を示す運転スケジュールを記憶する運転スケジュール記憶部と、設備機器から、設備機器の運転状態の変化を示す運転データを取得する運転データ取得部と、運転データと、運転データを取得した時刻との履歴を記憶する履歴記憶部と、履歴を用いて、所定期間ごとの設備機器の運転時間を集計する運転時間集計部と、運転時間集計部で集計した運転時間のうち、運転スケジュールが示す運転予定時刻外の運転時間を集計する時間外運転時間集計部と、を具備するものである。
【００１０】
また、本発明の施設管理方法は、施設に設置された設備機器を管理する施設管理方法において、運転スケジュール記憶部が、設備機器の運転予定時刻を示す運転スケジュールを記憶するステップと、運転データ取得部が、設備機器から、設備機器の運転状態の変化を示す運転データを取得するステップと、履歴記憶部が、運転データと、運転データを取得した時刻との履歴を記憶するステップと、運転時間集計部が、履歴を用いて、所定期間ごとの設備機器の運転時間を集計するステップと、時間外運転時間集計部が、運転時間集計部で集計した運転時間のうち、運転スケジュールが示す運転予定時刻外の運転時間を集計するステップと、を具備するものである。
【発明の効果】
【００１１】
本発明の施設管理装置及び施設管理方法は、設備機器の運転時間の集計及び時間外運転時間の検算にかかる手間と時間を軽減することができる。
【図面の簡単な説明】
【００１２】
【図１】本発明の実施の形態１の施設管理装置の構成を示すブロック図である。
【図２】本発明の実施の形態１の施設管理装置の動作を示すフローチャートである。
【図３】本発明の実施の形態１の施設管理装置の表示画面の一例を示す説明図である。
【図４】本発明の実施の形態１の施設管理装置の表示画面の他の例を示す説明図である。
【発明を実施するための形態】
【００１３】
実施の形態１．
図１を参照して、本発明の実施の形態１の施設管理装置について説明する。
図１に示す如く、実施の形態１の施設管理装置１は、操作入力部１１、運転スケジュール記憶部１２、運転データ取得部１３、履歴記憶部１４、運転時間集計部１５、時間外運転時間集計部１６、運転時間記憶部１７及び表示部１８を有している。設備機器２ａ〜２ｃは、施設管理装置１の管理対象となる施設に設置された空調機などの設備機器である。
【００１４】
操作入力部１１は、オペレータの操作入力を受け付けるものである。操作入力部１１は、例えば、表示部１８と一体のタッチパネル、又はキーボード及びマウスなどで構成されている。
【００１５】
運転スケジュール記憶部１２は、操作入力部１１に入力された設備機器２ａ〜２ｃの運転スケジュールを記憶するものである。運転スケジュールは、少なくとも、設備機器２ａ〜２ｃの運転開始予定時刻及び運転終了予定時刻を示すものである。
【００１６】
運転データ取得部１３は、設備機器２ａ〜２ｃと無線通信又は有線通信を行うものである。運転データ取得部１３は、設備機器２ａ〜２ｃから、設備機器２ａ〜２ｃの運転状態の変化を示す情報（以下「運転データ」という）を取得するものである。運転データは、少なくとも、設備機器２ａ〜２ｃの運転開始及び運転終了を示すものである。
【００１７】
また、運転データは、設備機器２ａ〜２ｃが運転を開始するために設備機器２ａ〜２ｃに入力された信号（以下「コマンダ」という）の種別を示すものである。例えば、運転スケジュールに沿って施設管理装置１が出力した指示信号によって設備機器２ａ〜２ｃが運転を開始した場合、コマンダは「ＳＣＨ」となる。オペレータが手動で入力した操作信号によって設備機器２ａ〜２ｃが運転を開始した場合、コマンダは「ＮＴ」となる。
【００１８】
履歴記憶部１４は、運転データ取得部１３で取得した運転データと、運転データを取得した時刻との履歴（以下「発停履歴」という）を記憶するものである。この発停履歴は、いわゆる「バーチャルプリンタ」への表示にも用いられるものである。
【００１９】
運転時間集計部１５は、履歴記憶部１４に記憶された発停履歴を用いて、所定期間（例えば１日）ごとの設備機器２ａ〜２ｃの運転時間を集計するものである。運転時間集計部１５は、設備機器２ａ〜２ｃが運転を開始してから次に運転が停止するまでは運転開始時に入力されたコマンダにより運転がなされたものと推定し、コマンダごとの運転時間を集計するものである。
【００２０】
時間外運転時間集計部１６は、運転時間集計部１５で集計した運転時間を、運転スケジュール記憶部１２に記憶された運転スケジュールと比較するものである。時間外運転時間集計部１６は、運転時間集計部１５で集計した運転時間のうち、運転スケジュールが示す運転予定時刻（コアタイム）外の運転時間（時間外運転時間）を集計するものである。時間外運転時間集計部１６は、コマンダごとの時間外運転時間を集計するものである。
【００２１】
運転時間記憶部１７は、運転時間集計部１５で集計した運転時間と、時間外運転時間集計部１６で集計した時間外運転時間とを記憶するものである。
【００２２】
表示部１８は、操作入力部１１の操作に応じて、履歴記憶部１４に記憶された発停履歴と、運転時間記憶部１７に記憶された運転時間及び時間外運転時間とを表示するものである。表示部１８は、例えば、液晶ディスプレイなどで構成されている。
【００２３】
運転スケジュール記憶部１２、履歴記憶部１４及び運転時間記憶部１７は、例えば、ＨＤＤ（Ｈａｒｄ  Ｄｉｓｋ  Ｄｒｉｖｅ）又は半導体メモリなどで構成されている。運転データ取得部１３、運転時間集計部１５及び時間外運転時間集計部１６は、例えば、ＣＰＵ（Ｃｅｎｔｒａｌ  Ｐｒｏｃｅｓｓｉｎｇ  Ｕｎｉｔ）又は専用の集積回路などで構成されている。このようにして、施設管理装置１が構成されている。
【００２４】
次に、図２を参照して、施設管理装置１が設備機器２ａ〜２ｃの運転時間及び時間外運転時間を集計する動作について説明する。
ここで、運転スケジュール記憶部１２には、少なくとも１日分の運転スケジュールが予め記憶されている。運転時間集計部１５は、現在時刻が所定時刻（午前０時）になると、直近１日分の運転時間を集計するように設定されている。時間外運転時間集計部１６は、現在時刻が所定時刻（午前０時）になると、直近１日分の時間外運転時間を集計するように設定されている。
【００２５】
まず、ステップＳＴ１にて、運転データ取得部１３が、設備機器２ａ〜２ｃから運転データを取得する。次いで、ステップＳＴ２にて、履歴記憶部１４が発停履歴を記憶する。
【００２６】
次いで、ステップＳＴ３にて、運転時間集計部１５は、現在時刻が所定時刻（午前０時）であるか否かを判定する。現在時刻が所定時刻（午前０時）である場合（ステップＳＴ３“ＹＥＳ”）、次いで、ステップＳＴ４にて、運転時間集計部１５は、履歴記憶部１４に記憶された発停履歴を用いて、直近１日分の設備機器２ａ〜２ｃの運転時間を集計する。このとき、運転時間集計部１５は、コマンダごとに運転時間を集計する。運転時間集計部１５は、集計した運転時間を運転時間記憶部１７に記憶させる。
【００２７】
一方、現在時刻が所定時刻（午前０時）でない場合（ステップＳＴ３“ＮＯ”）、運転時間集計部１５は運転時間を集計せず、施設管理装置１はステップＳＴ１の処理に戻る。
【００２８】
ステップＳＴ４に次いで、ステップＳＴ５にて、時間外運転時間集計部１６は、運転時間集計部１５で集計した運転時間を、運転スケジュール記憶部１２に記憶された運転スケジュールと比較する。時間外運転時間集計部１６は、直近１日分の時間外運転時間を集計する。このとき、時間外運転時間集計部１６は、コマンダごとに時間外運転時間を集計する。時間外運転時間集計部１６は、集計した時間外運転時間を運転時間記憶部１７に記憶させる。
【００２９】
施設管理装置１は、施設管理装置１の電源が切れるか、又は操作入力部１１に集計動作の停止を指示する操作が入力されるまで、ステップＳＴ１〜ステップＳＴ５の処理を繰り返す。
【００３０】
次に、図３及び図４を参照して、施設管理装置１が設備機器２ａ〜２ｃの発停履歴、運転時間及び時間外運転時間を表示する動作について説明する。
図３は、表示部１８の表示画面の一例を示している。表示画面には、１日分の発停履歴、運転時間及び時間外運転時間が表示されている。
【００３１】
表示画面の第１表示領域Ａには、「２０１３／１／２（水）」の日付が表示されている。この日付は、操作入力部１１の操作に応じて切り替わるようになっている。
【００３２】
第２表示領域Ｂには、履歴記憶部１４に記憶された発停履歴のうち、第１表示領域Ａに表示された日付の１日分の発停履歴が表示されている。すなわち、２０１３年１月２日（水）には、８時００分に運転スケジュールに従って運転を開始し、１７時００分に運転スケジュールに従って運転を終了したことが示されている。その後、１８時１１分に手動で運転を開始し、２１時２５分に手動で運転を終了したことが示されている。
【００３３】
第３表示領域Ｃには、運転時間記憶部１７に記憶された運転時間及び時間外運転時間のうち、第１表示領域Ａに表示された日付の１日分の運転時間及び時間外運転時間が示されている。また、第３表示領域Ｃには、第１表示領域Ａに表示された日付のコアタイムが示されている。すなわち、２０１３年１月２日（水）には、コアタイムが８時００分から１７時００分までであったのに対し、運転時間の合計が１２時間であり、時間外運転時間が３時間であったことが示されている。また、コマンダごとの運転時間の内訳も示されており、運転スケジュールに沿って開始した運転が９時間、手動で開始した運転が３時間であったことが示されている。
【００３４】
第４表示領域Ｄには、第２表示領域Ｂの発停履歴に表示された発停履歴に基づく棒状のグラフが示されている。グラフに隣接して、運転開始時刻、運転終了時刻及び対応するコマンダが表示されている。
【００３５】
図４は、表示部１８の表示画面の他の例を示している。表示画面には、所定期間（例えば１ヶ月）の発停履歴、運転時間及び時間外運転時間が表示されている。
【００３６】
表示画面の第１表示領域Ａには、期間の開始日時「２０１３／０１／２０（日）００：００」と、終了日時「２０１３／０２／１９（火）２３：５９」とが示されている。開始日時及び終了日時は、操作入力部１１の操作に応じて切り替わるようになっている。
【００３７】
第２表示領域Ｂには、履歴記憶部１４に記憶された発停履歴のうち、第１表示領域Ａに表示された期間の発停履歴が表示されている。
【００３８】
第３表示領域Ｃには、運転時間記憶部１７に記憶された運転時間及び時間外運転時間のうち、第１表示領域Ａに表示された期間の運転時間及び時間外運転時間が、日報形式で示されている。また、コマンダごとの運転時間の内訳も日報形式で示されている。
【００３９】
なお、表示部１８に表示する発停履歴、運転時間及び時間外運転時間の期間は、１日又は１ヵ月に限定されるものではない。操作入力部１１の操作に応じて、任意の期間の発停履歴、運転時間及び時間外運転時間を表示するものとして良い。
【００４０】
また、表示部１８は、複数の設備機器２ａ〜２ｃの合計の発停履歴、運転時間及び時間外運転時間を表示するものとしても良く、個々の発停履歴、運転時間及び時間外運転時間を表示するものとしても良い。操作入力部１１の操作に応じて、これらの表示を切替えるものとしても良い。
【００４１】
また、表示部１８は、図３及び図４に「５２６２．１９  ＣＢ２６Ｃ−ＳＡＣ０１  ＶＡＶ２６３８  フォーンルーム発停」と表示されているように、表示対象の設備機器２ａ〜２ｃの型番、管理番号、及び設置されている管理ポイント名などを表示するものとしても良い。
【００４２】
操作入力部１１は、表示対象となる発停履歴、運転時間及び時間外運転時間の期間と、複数の設備機器２ａ〜２ｃのうち表示対象となる設備機器２ａ〜２ｃと、表示対象となる設備機器２ａ〜２ｃの型番、管理番号、及び設置されている管理ポイント名などの検索条件の入力を受け付けるものとしても良い。表示部１８は、操作入力部１１に入力された検索条件に応じた設備機器２ａ〜２ｃの発停履歴、運転時間及び時間外運転時間を表示するものとしても良い。
【００４３】
以上のように、実施の形態１の施設管理装置１は、設備機器２ａ〜２ｃのコアタイムを示す運転スケジュールを記憶する運転スケジュール記憶部１２と、設備機器２ａ〜２ｃから、設備機器２ａ〜２ｃの運転状態の変化を示す運転データを取得する運転データ取得部１３と、発停履歴を記憶する履歴記憶部１４と、発停履歴を用いて、所定期間ごとの設備機器２ａ〜２ｃの運転時間を集計する運転時間集計部１５と、運転時間集計部１５で集計した運転時間のうち、運転スケジュールが示すコアタイム外の運転時間を集計する時間外運転時間集計部１６とを有している。これにより、運転状態の変化時刻を基に運転時間を集計する作業を自動化することで、設備機器の運転時間の集計及び時間外運転時間の検算にかかる手間と時間を軽減することができる。
【００４４】
また、施設管理装置１は、発停履歴と、運転時間集計部１５で集計した運転時間と、時間外運転時間集計部１６で集計した時間外運転時間とを表示する表示部１８を有している。これにより、自動で集計した運転時間及び時間外運転時間をオペレータに提示することで、設備機器の運転時間の集計及び時間外運転時間の検算にかかる手間と時間をさらに軽減することができる。
【００４５】
また、表示部１８は、発停履歴と、運転時間集計部１５で集計した運転時間と、時間外運転時間集計部１６で集計した時間外転時間とを、操作入力部１１に入力された検索条件に応じて表示するようになっている。これにより、集計した運転時間及び時間外運転時間を、設備機器２ａ〜２ｃの運転時間及び動作の分析、並びに設備機器２ａ〜２ｃの制御のバランス調整などに容易に用いることができる。
【００４６】
なお、本願発明はその発明の範囲内において、実施の形態の任意の構成要素の変形、もしくは実施の形態の任意の構成要素の省略が可能である。
【符号の説明】
【００４７】
１  施設管理装置
１１  操作入力部
１２  運転スケジュール記憶部
１３  運転データ取得部
１４  履歴記憶部
１５  運転時間集計部
１６  時間外運転時間集計部
１７  運転時間記憶部
１８  表示部
２ａ〜２ｃ  設備機器
【図１】
2016058048.tif 000003
【図２】
2016058048.tif 000004
【図３】
2016058048.tif 000005
【図４】
2016058048.tif 000006